(57)【要約】【課題】ユーザが表示形態を切り替える操作を行うことなく、ユーザの用途に応じた表示形態で画面を表示する。【解決手段】用紙に画像を形成する画像形成部と、同一の機能に対して、用途に応じて表示形態が異なる画面を表示可能な表示部と、を備える画像形成装置は、画像形成部への画像形成を指示するジョブを受信して解析し、受信したジョブに含まれる情報（印刷ページ数や印刷部数、坪量、用紙の設定情報、後処理の設定情報、プリンタドライバの種別や設定情報、外部コントローラの設定情報など）に基づいて、第１の表示形態、又は、第１の表示形態とは異なる第２の表示形態のどちらで画面を表示すべきかを判断し、表示部に、判断した表示形態で、受信したジョブに関連する画面を表示させる。【選択図】図５
2019181794.tif 000002
【特許請求の範囲】
【請求項１】
用紙に画像を形成する画像形成部と、
同一の機能に対して、用途に応じて表示形態が異なる画面を表示可能な表示部と、
前記画像形成部への画像形成を指示するジョブを受信して解析するジョブ受付部と、
受信した前記ジョブに含まれる情報に基づいて、第１の表示形態又は前記第１の表示形態とは異なる第２の表示形態のどちらで画面を表示すべきかを判断する画面判断部と、
前記表示部に、前記画面判断部が判断した表示形態で、受信した前記ジョブに関連する画面を表示させる表示制御部と、を備える、
ことを特徴とする画像形成装置。
【請求項２】
前記画面判断部は、前記ジョブに含まれる印刷ページ数及び／又は印刷部数の情報に基づいて、前記第１の表示形態か前記第２の表示形態かを判断する、
ことを特徴とする請求項１に記載の画像形成装置。
【請求項３】
前記画面判断部は、前記ジョブに含まれるメディアの種別に基づいて、前記第１の表示形態か前記第２の表示形態かを判断する、
ことを特徴とする請求項１又は２に記載の画像形成装置。
【請求項４】
前記画面判断部は、前記ジョブに含まれるジョブ投入元のプリンタドライバの種別及び／又は前記プリンタドライバの設定情報に基づいて、前記第１の表示形態か前記第２の表示形態かを判断する、
ことを特徴とする請求項１乃至３のいずれか一に記載の画像形成装置。
【請求項５】
前記画面判断部は、前記ジョブに含まれる後処理の設定情報に基づいて、前記第１の表示形態か前記第２の表示形態かを判断する、
ことを特徴とする請求項１乃至４のいずれか一に記載の画像形成装置。
【請求項６】
前記画面判断部は、外部コントローラを介して前記ジョブを受信する場合は、前記ジョブに含まれる前記外部コントローラの設定情報に基づいて、前記第１の表示形態か前記第２の表示形態かを判断する、
ことを特徴とする請求項１乃至５のいずれか一に記載の画像形成装置。
【請求項７】
前記第２の表示形態は、前記第１の表示形態よりも前記画面内の項目数が多い、
ことを特徴とする請求項１乃至６のいずれか一に記載の画像形成装置。
【請求項８】
前記第２の表示形態は、前記画面内に少なくとも坪量に関する項目を含み、前記第１の表示形態は、前記画面内に少なくとも坪量に関する項目を含まない、
ことを特徴とする請求項１乃至７のいずれか一に記載の画像形成装置。
【請求項９】
前記第１の表示形態は、オフィスプリント用途の表示形態であり、前記第２の表示形態は、プロダクションプリント用途の表示形態である、
ことを特徴とする請求項１乃至８のいずれか一に記載の画像形成装置。
【請求項１０】
用紙に画像を形成する画像形成部を制御する装置で動作する表示制御プログラムであって、
前記装置は、同一の機能に対して、用途に応じて表示形態が異なる画面を表示可能な表示部を備え、
前記装置に、
前記画像形成部への画像形成を指示するジョブを受信して解析するジョブ受付処理、
受信した前記ジョブに含まれる情報に基づいて、第１の表示形態又は前記第１の表示形態とは異なる第２の表示形態のどちらで画面を表示すべきかを判断する画面判断処理、
前記表示部に、前記画面判断処理で判断された表示形態で、受信した前記ジョブに関連する画面を表示させる表示制御処理、を実行させる、
ことを特徴とする表示制御プログラム。
【請求項１１】
前記画面判断処理では、前記ジョブに含まれる印刷ページ数及び／又は印刷部数の情報に基づいて、前記第１の表示形態か前記第２の表示形態かを判断する、
ことを特徴とする請求項１０に記載の表示制御プログラム。
【請求項１２】
前記画面判断処理では、前記ジョブに含まれるメディアの種別に基づいて、前記第１の表示形態か前記第２の表示形態かを判断する、
ことを特徴とする請求項１０又は１１に記載の表示制御プログラム。
【請求項１３】
前記画面判断処理では、前記ジョブに含まれるジョブ投入元のプリンタドライバの種別及び／又は前記プリンタドライバの設定情報に基づいて、前記第１の表示形態か前記第２の表示形態かを判断する、
ことを特徴とする請求項１０乃至１２のいずれか一に記載の表示制御プログラム。
【請求項１４】
前記画面判断処理では、前記ジョブに含まれる後処理の設定情報に基づいて、前記第１の表示形態か前記第２の表示形態かを判断する、
ことを特徴とする請求項１０乃至１３のいずれか一に記載の表示制御プログラム。
【請求項１５】
前記画面判断処理では、外部コントローラを介して前記ジョブを受信する場合は、前記ジョブに含まれる前記外部コントローラの設定情報に基づいて、前記第１の表示形態か前記第２の表示形態かを判断する、
ことを特徴とする請求項１０乃至１４のいずれか一に記載の表示制御プログラム。
【請求項１６】
前記第２の表示形態は、前記第１の表示形態よりも前記画面内の項目数が多い、
ことを特徴とする請求項１０乃至１５のいずれか一に記載の表示制御プログラム。
【請求項１７】
前記第２の表示形態は、前記画面内に少なくとも坪量に関する項目を含み、前記第１の表示形態は、前記画面内に少なくとも坪量に関する項目を含まない、
ことを特徴とする請求項１０乃至１６のいずれか一に記載の表示制御プログラム。
【請求項１８】
前記第１の表示形態は、オフィスプリント用途の表示形態であり、前記第２の表示形態は、プロダクションプリント用途の表示形態である、
ことを特徴とする請求項１０乃至１７のいずれか一に記載の表示制御プログラム。
【請求項１９】
用紙に画像を形成する画像形成部を含む印刷システムにおける表示制御方法であって、
前記画像形成部を制御する装置は、同一の機能に対して、用途に応じて表示形態が異なる画面を表示可能な表示部を備え、
前記装置は、
前記画像形成部への画像形成を指示するジョブを受信して解析するジョブ受付処理と、
受信した前記ジョブに含まれる情報に基づいて、第１の表示形態又は前記第１の表示形態とは異なる第２の表示形態のどちらで画面を表示すべきかを判断する画面判断処理と、
前記表示部に、前記画面判断処理で判断された表示形態で、受信した前記ジョブに関連する画面を表示させる表示制御処理と、を実行する、
ことを特徴とする表示制御方法。
【発明の詳細な説明】
【技術分野】
【０００１】
本発明は、画像形成装置、表示制御プログラム及び表示制御方法に関し、特に、オフィスプリント機とプロダクションプリント機の双方の機能を備える画像形成装置、当該画像形成装置に表示する画面を制御する表示制御プログラム及び表示制御方法に関する。
【背景技術】
【０００２】
オフィスプリント機とプロダクションプリント機とでは、ユーザの用途が異なり、ユーザが操作するにあたり重視する機能が異なる。このため、各々の装置では、ユーザが重視する機能の操作性を考慮した構成の画面を表示していた。
【０００３】
近年、オフィスプリント機とプロダクションプリント機の両方の機能を備える画像形成装置が提案されており、このような画像形成装置では、オフィスプリント機として使用する場合はオフィスプリント用途の表示形態で、プロダクションプリント機として使用する場合はプロダクションプリント用途の表示形態で、といったように、それぞれのユーザの用途に合わせた表示形態で画面を表示することが想定される。
【０００４】
オフィスプリント機とプロダクションプリント機の両方の機能を備えるひとつの画像形成装置を、同時にオフィスプリント機としてもプロダクションプリント機としても使用するケースでは、オフィスプリント機、プロダクションプリント機のそれぞれを使用するユーザに適するように、適時、画面の切り替えができることが望ましい。
【０００５】
このようなオフィスプリント機とプロダクションプリント機の両方の機能を備える画像形成装置に関する発明ではないが、画像形成装置の画面の切り替えに関する技術として、例えば、下記特許文献１には、ジョブ設定を行うための複数の表示画面を切り替え表示し、この複数の表示画面は基本画面と基本画面から切り替え可能な複数の機能リスト画面とを備えた操作表示部を有する画像形成装置において、前記複数の機能リスト画面に、機能画面へ切り替えるための機能選択キーを複数表示する通常表示モードと、前記通常表示モードの機能リスト画面に表示する機能選択キーの幾つかを一つの機能リスト画面に表示するシンプル表示モードと、前記通常表示モードと前記シンプル表示モードとを切替える表示モード切り替え手段とを有する構成が開示されている。
【先行技術文献】
【特許文献】
【０００６】
【特許文献１】特開２００３−２４７０３９号公報
【発明の概要】
【発明が解決しようとする課題】
【０００７】
上記特許文献１では、例えば、初期画面（コピーできます画面やコピー、スキャンといった各機能の選択画面）に表示されるソフトキーで、初期画面を切り替える（ユーザの好みや熟達度に応じて通常表示モードとシンプル表示モードとを切り替える）ことができる。この先行技術を利用すれば、オフィスプリント機とプロダクションプリント機の両方の機能を備える画像形成装置においては、オフィスプリント用途の画面とプロダクションプリント用途の画面とを適時ユーザ操作によって切り替えることができる。すなわち、このような画像形成装置を使用する場合において、画面を操作してジョブを受け付ける場合は、はじめにオフィスプリント用途又はプロダクションプリント用途を選択すれば、ユーザに応じた画面を表示することができる。
【０００８】
ここで、ユーザがプリントジョブを実行する場合は、クライアント端末から画像形成装置にジョブを送信する際には画像形成装置の操作は行わないため、ユーザがジョブ送信前に画像形成装置のユーザインタフェースに接することはなく、ユーザが実際に画像形成装置のユーザインタフェースに接するのは、ジョブ送信後の設定画面以外のトラブル発生時やジョブの状態確認／操作時、ジョブのキャンセル操作時などである。
【０００９】
このため、先行技術に従えば、トラブル発生時やジョブの状態確認／操作時、ジョブのキャンセル操作時において、ユーザの用途に応じてユーザ自身が画面の切り替え操作を実施しなければならず、ユーザの手間になってしまう。
【００１０】
また、初期画面のような比較的わかりやすい画面で切り替え操作を実施する場合は、ユーザの間違いや戸惑いが発生しにくい。しかしながら、トラブル発生時やジョブの状態確認時、キャンセル操作時などのように、ユーザが急いで操作する場面において、ユーザが慣れていない表示形態の画面が表示されてしまうと、ユーザは慣れていない画面上で操作しなければならない状況が発生してしまう。
【００１１】
すなわち、オフィスプリント機とプロダクションプリント機とでは、同一の機能であっても用途に応じて画面の表示形態（レイアウトや表現方法、表示内容）が異なり、表示形態が異なるとユーザが受ける印象が大きく変化する。その結果、突然、慣れていない表示形態の画面が表示されると、ユーザの間違いや戸惑いが発生しやすくなり、適切な操作を迅速に行うことができなくなってしまう。
【００１２】
本発明は、上記問題点に鑑みてなされたものであって、その主たる目的は、ユーザが表示形態を切り替える操作を行うことなく、ユーザの用途に応じた表示形態で画面を表示することができる画像形成装置、表示制御プログラム及び表示制御方法を提供することにある。
【課題を解決するための手段】
【００１３】
本発明の一側面は、用紙に画像を形成する画像形成部と、同一の機能に対して、用途に応じて表示形態が異なる画面を表示可能な表示部と、前記画像形成部への画像形成を指示するジョブを受信して解析するジョブ受付部と、受信した前記ジョブに含まれる情報に基づいて、第１の表示形態又は前記第１の表示形態とは異なる第２の表示形態のどちらで画面を表示すべきかを判断する画面判断部と、前記表示部に、前記画面判断部が判断した表示形態で、受信した前記ジョブに関連する画面を表示させる表示制御部と、を備えることを特徴とする。
【００１４】
本発明の一側面は、用紙に画像を形成する画像形成部を制御する装置で動作する表示制御プログラムであって、前記装置は、同一の機能に対して、用途に応じて表示形態が異なる画面を表示可能な表示部を備え、前記装置に、前記画像形成部への画像形成を指示するジョブを受信して解析するジョブ受付処理、受信した前記ジョブに含まれる情報に基づいて、第１の表示形態又は前記第１の表示形態とは異なる第２の表示形態のどちらで画面を表示すべきかを判断する画面判断処理、前記表示部に、前記画面判断処理で判断された表示形態で、受信した前記ジョブに関連する画面を表示させる表示制御処理、を実行させることを特徴とする。
【００１５】
本発明の一側面は、用紙に画像を形成する画像形成部を含む印刷システムにおける表示制御方法であって、前記画像形成部を制御する装置は、同一の機能に対して、用途に応じて表示形態が異なる画面を表示可能な表示部を備え、前記装置は、前記画像形成部への画像形成を指示するジョブを受信して解析するジョブ受付処理と、受信した前記ジョブに含まれる情報に基づいて、第１の表示形態又は前記第１の表示形態とは異なる第２の表示形態のどちらで画面を表示すべきかを判断する画面判断処理と、前記表示部に、前記画面判断処理で判断された表示形態で、受信した前記ジョブに関連する画面を表示させる表示制御処理と、を実行することを特徴とする。
【発明の効果】
【００１６】
本発明の画像形成装置、表示制御プログラム及び表示制御方法によれば、ユーザが表示形態を切り替える操作を行うことなく、ユーザの用途に応じた表示形態で画面を表示することができる。
【００１７】
その理由は、用紙に画像を形成する画像形成部と同一の機能に対して用途に応じて表示形態が異なる画面を表示可能な表示部とを備える画像形成装置は、画像形成部への画像形成を指示するジョブを受信して解析し、受信したジョブに含まれる情報に基づいて、第１の表示形態、又は、第１の表示形態とは異なる第２の表示形態のどちらで画面を表示すべきかを判断し、表示部に、判断した表示形態で、受信したジョブに関連する画面を表示させるからである。
【図面の簡単な説明】
【００１８】
【図１】本発明の一実施例に係る印刷システムの構成を示す模式図である。
【図２】本発明の一実施例に係る印刷システムの他の構成を示す模式図である。
【図３】本発明の一実施例に係るクライアント端末の構成を示すブロック図である。
【図４】本発明の一実施例に係る画像形成装置の構成を示すブロック図である。
【図５】本発明の一実施例に係る画像形成装置の動作を示すフローチャート図である。
【図６】本発明の一実施例に係る画像形成装置に表示されるオフィスプリント用途の画面（トップメニュー画面）を示す模式図である。
【図７】本発明の一実施例に係る画像形成装置に表示されるオフィスプリント用途の画面（実行中ジョブ表示画面）を示す模式図である。
【図８】本発明の一実施例に係る画像形成装置に表示されるオフィスプリント用途の画面（履歴表示画面）を示す模式図である。
【図９】本発明の一実施例に係る画像形成装置に表示されるプロダクションプリント用途の画面（トップメニュー画面）を示す模式図である。
【図１０】本発明の一実施例に係る画像形成装置に表示されるプロダクションプリント用途の画面（ジョブリスト画面）を示す模式図である。
【図１１】本発明の一実施例に係る画像形成装置に表示されるプロダクションプリント用途の画面（出力予約ジョブ表示画面）を示す模式図である。
【図１２】本発明の一実施例に係る画像形成装置に表示されるプロダクションプリント用途の画面（履歴表示画面）を示す模式図である。
【図１３】オフィスプリント機の画面（ジャム画面）を示す模式図である。
【図１４】プロダクションプリント機の画面（ジャム画面）を示す模式図である。
【発明を実施するための形態】
【００１９】
背景技術で示したように、オフィスプリント機とプロダクションプリント機とでは、ユーザの用途が異なり、ユーザが操作するにあたり重視する機能が異なるため、各々の装置では、ユーザが重視する機能の操作性を考慮した構成の画面を表示していた。一方、オフィスプリント機とプロダクションプリント機の両方の機能を備える画像形成装置では、それぞれのユーザの用途に合わせた表示形態（オフィスプリント機として使用する場合はオフィスプリント用途の表示形態、プロダクションプリント機として使用する場合はプロダクションプリント用途の表示形態）で画面を表示することが想定される。このオフィスプリント用途の表示形態とプロダクションプリント用途の表示形態の性質を表１に示す。
【００２０】
【表１】
2019181794.tif 000003
【００２１】
このようにオフィスプリント用途とプロダクションプリント用途とでは表示形態の性質が異なるため、オフィスプリント機、プロダクションプリント機のそれぞれを使用するユーザに適するように、適時、画面の切り替えができることが望ましい。この画面の切り替えに関して、特許文献１では、初期画面に表示されるソフトキーで初期画面を切り替える技術を開示しており、この技術を利用すれば、オフィスプリント用途の画面とプロダクションプリント用途の画面とを適時ユーザ操作によって切り替えることができる。
【００２２】
しかしながら、ユーザがプリントジョブを実行する場合は、ユーザが実際に画像形成装置のユーザインタフェースに接するのは、ジョブ送信後の設定画面以外のトラブル発生時やジョブの状態確認／操作時、ジョブのキャンセル操作時などであり、その際に、ユーザの用途に応じてユーザ自身が画面の切り替え操作を実施しなければならず、ユーザの手間になってしまう。
【００２３】
また、トラブル発生時やジョブの状態確認時、キャンセル操作時などのように、ユーザが急いで操作する場面において、ユーザが慣れていない表示形態の画面が表示されてしまうと、ユーザは慣れていない画面上で操作をしなければならない。例えば、紙詰まりが発生した場合を考えると、オフィスプリント機では、操作に慣れていないユーザが使用する場合が多いことから、図１３（ａ）、（ｂ）に示すように、ジャムの概略位置をグラフィカルに表示するジャム画面８０が表示されるが、プロダクションプリント機では、操作に慣れたユーザが使用する場合が多いことから、図１４に示すように、文字ベースで簡潔にジャムの正確な位置を表示する（例えば「垂直搬送扉」のような専門用語で位置を示す）ジャム画面８１が表示される。
【００２４】
すなわち、オフィスプリント機とプロダクションプリント機とでは、同一の機能であっても用途に応じて画面の表示形態（レイアウトや表現方法、表示内容）が異なり、表示形態が異なるとユーザが受ける印象が大きく変化するため、突然、慣れていない表示形態の画面が表示されると、ユーザの間違いや戸惑いが発生しやすくなり、適切な操作を迅速に行うことができなくなってしまう。
【００２５】
そこで、本発明の一実施の形態では、オフィスプリント機とプロダクションプリント機の両方の機能を備える画像形成装置において、画像形成装置に投入されるジョブを受信して解析し、そのジョブに含まれる情報（印刷ページ数や印刷部数、用紙の設定情報、プリンタドライバの種別や設定情報、後処理の設定情報、外部コントローラの設定情報など）に基づいて、第１の表示形態（オフィスプリント用途の表示形態）あるいは第２の表示形態（プロダクションプリント用途の表示形態）のどちらで画面を表示すべきかを判断し、その判断結果に従って、受信したジョブに関連する画面を表示するように制御する。
【００２６】
これにより、ユーザが表示形態を切り替える操作を行う必要がなくなり、また、ユーザが慣れていない画面上で操作を行うことによる間違いや戸惑いの発生を防止することができ、適切な操作を迅速に行うことができる。
【実施例】
【００２７】
上記した本発明の一実施の形態についてさらに詳細に説明すべく、本発明の一実施例に係る画像形成装置、表示制御プログラム及び表示制御方法について、図１乃至図１２を参照して説明する。図１及び図２は、本実施例の印刷システムの構成を示す模式図であり、図３は、本実施例のクライアント端末の構成を示すブロック図、図４は、本実施例の画像形成装置の構成を示すブロック図である。また、図５は、本実施例の画像形成装置の動作を示すフローチャート図であり、図６乃至図８は、オフィスプリント用途の画面を示す模式図、図９乃至図１２は、プロダクションプリント用途の画面を示す模式図である。
【００２８】
図１に示すように、本実施例の印刷システム１０は、クライアント端末２０と画像形成装置４０などで構成される。これらは、イーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク５０を介して接続されている。なお、図１では、印刷システム１０をクライアント端末２０と画像形成装置４０とで構成としたが、図２に示すように、通信ネットワーク５０に外部コントローラ３０が接続され、外部コントローラ３０と画像形成装置４０とが、ＬＡＮやＷＡＮ、又は、ＰＣＩ（Peripheral Component Interconnect）接続などの専用線で接続される構成としてもよい。以下、図１の構成を前提にして、各装置について説明する。
【００２９】
［クライアント端末］
クライアント端末２０は、パーソナルコンピュータなどのコンピュータ装置であり、画像形成装置４０（又は、外部コントローラ３０）にジョブを送信する。このクライアント端末２０は、図３（ａ）に示すように、制御部２１、記憶部２５、ネットワークＩ／Ｆ部２６、表示部２７、操作部２８などで構成される。
【００３０】
制御部２１は、ＣＰＵ（Central Processing Unit）２２と、ＲＯＭ（Read Only Memory）２３やＲＡＭ（Random Access Memory）２４などのメモリとで構成され、ＣＰＵ２２は、ＲＯＭ２３や記憶部２５に記憶した制御プログラムをＲＡＭ２４に展開して実行することにより、クライアント端末２０全体の動作を制御する。また、図３（ｂ）に示すように、上記制御部２１（ＣＰＵ２２）により、ＯＳ（Operating System）２１ａ、アプリケーション２１ｂ、プリンタドライバ２１ｃなどが実行される。
【００３１】
ＯＳ２１ａは、Windows（登録商標）やMacintosh（登録商標）、Android（登録商標）などであり、クライアント端末２０でアプリケーション２１ｂ、プリンタドライバ２１ｃなどを動作可能にする。
【００３２】
アプリケーション２１ｂは、例えば、原稿作成を行うソフトウェアであり、印刷指示の際にプリンタドライバ２１ｃを読み出し、アプリケーション２１ｂで作成した原稿データをプリンタドライバ２１ｃに転送する。
【００３３】
プリンタドライバ２１ｃは、アプリケーション２１ｂで作成した原稿データを、画像形成装置４０（又は、外部コントローラ３０）が解釈可能な言語のジョブ（ＰＪＬ（Printer Job Language）やＰＳ（PostScript）、ＰＣＬ（Printer Control Language）等のページ記述言語で記述されたＰＤＬ（Page Description Language）データ、または、ＰＤＦ（Portable Document Format）データ）に変換し、当該ジョブを画像形成装置４０（又は、外部コントローラ３０）に送信する。その際、プリンタドライバ２１ｃは、表示部２７に印刷設定画面を表示させ、その設定情報（本実施例では、印刷ページ数や印刷部数、坪量、メディアの種別、プリンタドライバの種別、オフィスプリント用途又はプロダクションプリント用途の指定、後処理装置の使用設定など）をプリントチケットなどに記述してジョブに付加する。
【００３４】
記憶部２５は、ＨＤＤ（Hard Disk Drive）やＳＳＤ（Solid State Drive）などで構成され、ＣＰＵ２２が各部を制御するためのプログラム、原稿データ、ジョブなどを保存する。
【００３５】
ネットワークＩ／Ｆ部２６は、ＮＩＣ（Network Interface Card）やモデムなどで構成され、クライアント端末２０を通信ネットワーク５０に接続し、画像形成装置４０（又は、外部コントローラ３０）にジョブを送信する。
【００３６】
表示部２７は、液晶表示装置（ＬＣＤ：Liquid Crystal Display）や有機ＥＬ（electroluminescence）表示装置などで構成され、アプリケーション２１ｂの原稿作成画面、プリンタドライバ２１ｃの印刷設定画面などを表示する。
【００３７】
操作部２８は、マウスやキーボードなどで構成され、アプリケーション２１ｂを用いた原稿の作成、プリンタドライバ２１ｃを用いた印刷設定などの操作を可能にする。
【００３８】
［画像形成装置］
画像形成装置４０は、クライアント端末２０から受信したジョブに基づいて印刷処理を実行するＭＦＰ（Multi-Functional Peripherals）などであり、本実施例では、オフィスプリント機とプロダクションプリント機の双方の機能を備える。この画像形成装置４０は、図４（ａ）に示すように、制御部４１、記憶部４５、ネットワークＩ／Ｆ部４６、表示操作部４７、画像処理部４８、画像形成部４９などで構成される。
【００３９】
制御部４１は、ＣＰＵ４２とＲＯＭ４３やＲＡＭ４４などのメモリとで構成され、ＣＰＵ４２は、ＲＯＭ４３や記憶部４５に記憶した制御プログラムをＲＡＭ４４に展開して実行することにより、画像形成装置４０全体の動作を制御する。上記制御部４１は、図４（ｂ）に示すように、ジョブ受付部４１ａ、画面判断部４１ｂ、表示制御部４１ｃ、ユーザ情報取得部４１ｄなどとして機能する。
【００４０】
ジョブ受付部４１ａは、クライアント端末２０からのジョブ投入を受け付ける。そして、ジョブを受け付けると当該ジョブを解析し、画像形成部４９に対して画像形成の指示を行うと共に、画面判断部４１ｂに対してジョブ情報の通知を行う。
【００４１】
画面判断部４１ｂは、ジョブ受付部４１ａからジョブ情報を受け取ると、ジョブ情報（印刷ページ数や印刷部数、用紙の設定情報（メディアの種別）、プリンタドライバ２１ｃの種別や設定情報（用途指定）、後処理の設定情報、外部コントローラの設定情報（ページモード／ジョブモード）など）に基づいて、オフィスプリント用途の表示形態（第１の表示形態とする。）とプロダクションプリント用途の表示形態（第２の表示形態とする。）のどちらで画面を表示すべきかを判断し、判断結果を表示制御部４１ｃに通知する。また、画面判断部４１ｂは、必要に応じて、表示しようとする画面が特定のジョブのための画面ではない（ジョブ情報が存在しない）場合は、ユーザ情報取得部４１ｄにユーザ情報の取得を要求し、ユーザ情報取得部４１ｄから取得したユーザ情報に基づいて、第１の表示形態と第２の表示形態のどちらで画面を表示すべきかを判断し、判断結果を表示制御部４１ｃに通知する。この画面判断部４１ｂの動作の詳細は後述する。
【００４２】
なお、プロダクションプリント用途では、ユーザが画像形成装置４０の操作に熟達していることから、オフィスプリント用途に比べて、１つの画面に表示される項目数は多い。また、プロダクションプリント用途では、高画質、高生産性の印刷のために用紙に対して細かい設定が可能であることから、画面内に少なくとも坪量に関する項目を含み、オフィスプリント用途では、ユーザの利便性を考慮し、おおまかな設定が可能であればよいことから、画面内に少なくとも坪量に関する項目を含まない。
【００４３】
表示制御部４１ｃは、画面判断部４１ｂから判断結果を受け取ると、その判断結果に従って、表示操作部４７に第１の表示形態又は第２の表示形態のいずれかで、受信したジョブに関連する画面を表示させる。また、画面上で選択や編集などの操作が行われた場合は、画像形成部４９に対してその操作に応じた画像形成の変更指示を行う。なお、サービスマン向けの画面のような一般ユーザには提示しない画面の場合は、画面判断部４１ｂの判断結果にかかわらず、サービス用途の表示形態（第３の表示形態と呼ぶ。）で画面を表示させることができる。
【００４４】
ユーザ情報取得部４１ｄは、画面判断部４１ｂからユーザ情報の取得要求を受け付け、画像形成装置４０の記憶部４５などに記憶されたユーザ情報を取得し、画像形成装置４０を使用するユーザに対応するユーザ情報を画面判断部４１ｂに通知する。なお、ユーザ情報は、ＩＤ／パスワードの入力による認証や、ＩＤカードでの認証、指紋認証などによって識別されたユーザについての登録情報であり、その識別方法は問わない。また、ユーザ情報の取得に失敗した場合は、失敗した旨を画面判断部４１ｂに通知することができる。
【００４５】
上記ジョブ受付部４１ａ、画面判断部４１ｂ、表示制御部４１ｃ、ユーザ情報取得部４１ｄは、ハードウェアとして構成してもよいし、制御部４１をジョブ受付部４１ａ、画面判断部４１ｂ、表示制御部４１ｃ、ユーザ情報取得部４１ｄ（特に、ジョブ受付部４１ａ、画面判断部４１ｂ、表示制御部４１ｃ）として機能させる表示制御プログラムとして構成し、当該表示制御プログラムをＣＰＵ４２に実行させるようにしてもよい。
【００４６】
記憶部４５は、ＨＤＤやＳＳＤなどで構成され、ＣＰＵ４２が各部を制御するためのプログラム、自装置の処理機能に関する情報、ジョブ、画像処理部４８が生成した印刷用の画像データ、ユーザ情報などを記憶する。
【００４７】
ネットワークＩ／Ｆ部４６は、ＮＩＣやモデムなどで構成され、画像形成装置４０を通信ネットワーク５０に接続し、クライアント端末２０からジョブを受信する。
【００４８】
表示操作部４７は、表示部上に透明電極が格子状に配置された感圧式の操作部（タッチセンサ）を設けたタッチパネルなどであり、各種画面を表示し、各種操作を可能にする。本実施例では、同一の機能に対して、用途に応じて表示形態が異なる画面、例えば、オフィスプリント用途の表示形態の各種画面（後述するトップメニュー画面、実行中ジョブ表示画面、履歴表示画面など）及びプロダクションプリント用途の表示形態の各種画面（後述するトップメニュー画面、ジョブリスト画面、出力予約ジョブ表示画面、履歴表示画面など）を表示する。なお、ここでは、表示操作部４７を表示部と操作部とが一体となったタッチパネルとしているが、表示部と操作部とは別々の装置としてもよい。
【００４９】
画像処理部４８は、ＲＩＰ部（Raster Image Processor）として機能し、ジョブから中間データ（中間言語であるディスプレイリスト（ＤＬ：Display List））を生成し、原稿の各ページをラスタライズしてビットマップ形式の画像データを生成する。また、画像処理部４８は、必要に応じて、画像データに対して、スクリーン処理、階調補正、濃度バランス調整、細線化、網点処理などを行う。そして、画像処理部４８は、生成した画像データを画像形成部４９に出力する。
【００５０】
画像形成部４９は、ジョブ受付部４１ａからの画像形成の指示や、表示制御部４１ｃからの画像形成の変更指示を受け付けて画像形成を行い、表示制御部４１ｃに対して画像形成の状態を通知する。その際、他のジョブが画像形成を実行中であれば、他のジョブの画像形成完了を待って、指示されたジョブに対する画像形成を実施し、指示されたジョブの実行を保留することができる。保留したジョブについては、ユーザが任意に変更、キャンセルをすることができる。
【００５１】
なお、図１乃至図４は、本実施例の印刷システム１０の一例であり、その構成や制御は適宜変更可能である。例えば、図４では、画像形成装置４０の制御部４１をジョブ受付部４１ａ、画面判断部４１ｂ、表示制御部４１ｃ、ユーザ情報取得部４１ｄとして機能させる（ＣＰＵ４２に表示制御プログラムを実行させる）構成としたが、印刷システム１０に外部コントローラ３０を備える場合は、外部コントローラ３０の制御部をジョブ受付部、画面判断部、表示制御部、ユーザ情報取得部として機能させる（制御部のＣＰＵに表示制御プログラムを実行させる）構成としてもよい。
【００５２】
以下、本実施例の画像形成装置４０の動作について説明する。ＣＰＵ４２は、ＲＯＭ４３又は記憶部４５に記憶した表示制御プログラムをＲＡＭ４４に展開して実行することにより、図５のフローチャート図に示す各ステップの処理を実行する。なお、図では、オフィスプリントをＯＰ、プロダクションプリントをＰＰと略記し、後処理をＦＮＳと略記する。
【００５３】
まず、ジョブ受付部４１ａは、クライアント端末２０からのジョブを監視し（Ｓ１０１）、ジョブを受信したら（Ｓ１０１のＹｅｓ）、ジョブを解析して画面判断部４１ｂにジョブ情報を通知する（Ｓ１０２）。画面判断部４１ｂは、ジョブ情報を取得すると（Ｓ１０３）、ジョブ情報に基づいて以下に示す表示形態の判断を行う。
【００５４】
まず、画面判断部４１ｂは、ジョブ情報に基づいてプリンタドライバの種別を判断する（Ｓ１０４）。プリンタドライバがオフィスプリント機向けの種別であれば、第１の表示形態（オフィスプリント用途の表示形態）で画面を表示すべきと判断し（Ｓ１１２）、表示制御部４１ｃは、表示操作部４７に第１の表示形態の画面を表示させる（Ｓ１１３）。また、プリンタドライバの種別がプロダクションプリント機の種別であれば、第２の表示形態（プロダクションプリント用途の表示形態）で画面を表示すべきと判断し（Ｓ１１４）、表示制御部４１ｃは、表示操作部４７に第２の表示形態の画面を表示させる（Ｓ１１５）。また、ジョブ情報にプリンタドライバの種別の情報がない場合、あるいは、プリンタドライバの種別がオフィスプリント機及びプロダクションプリント機の共通向けの種別の場合は、次ステップ（Ｓ１０５）を実行する。
【００５５】
次に、画面判断部４１ｂは、ジョブ情報にプリンタドライバ２１ｃの設定情報にオフィスプリント用途、あるいはプロダクションプリント用途の指定があるかを判断する（Ｓ１０５）。プリンタドライバ２１ｃの設定情報にオフィスプリント用途の指定があれば、第１の表示形態（オフィスプリント用途の表示形態）で画面を表示すべきと判断し（Ｓ１１２）、表示制御部４１ｃは、表示操作部４７に第１の表示形態の画面を表示させる（Ｓ１１３）。また、プリンタドライバ２１ｃの設定情報にプロダクションプリント用途の指定があれば、第２の表示形態（プロダクションプリント用途の表示形態）で画面を表示すべきと判断し（Ｓ１１４）、表示制御部４１ｃは、表示操作部４７に第２の表示形態の画面を表示させる（Ｓ１１５）。また、プリンタドライバ２１ｃの設定情報に用途の指定がない場合は、次ステップ（Ｓ１０６）を実行する。
【００５６】
次に、画面判断部４１ｂは、ジョブ情報にプロダクションプリント機向けの後処理装置の使用設定があるかを判断する（Ｓ１０６）。プロダクションプリント機向けの後処理装置の使用設定があれば（Ｓ１０６のＹｅｓ）、第２の表示形態（プロダクションプリント用途の表示形態）で画面を表示すべきと判断し（Ｓ１１４）、表示制御部４１ｃは、表示操作部４７に第２の表示形態の画面を表示させる（Ｓ１１５）。プロダクションプリント機向けの後処理装置に関する情報がない場合は（Ｓ１０６のＮｏ）、次ステップ（Ｓ１０７）を実行する。
【００５７】
次に、画面判断部４１ｂは、ジョブ情報に基づいて外部コントローラ３０経由のジョブ受信であるかを判断する（Ｓ１０７）。外部コントローラ３０経由のジョブ受信であれば（Ｓ１０７のＹｅｓ）、外部コントローラ３０との接続がページモード（ページ単位でのデータ通信）であるか、ジョブモード（ジョブ単位でのデータ通信）であるかを判断する（Ｓ１０８）。ページモードの場合は画像形成装置４０の負荷が小さく、高いパフォーマンスを発揮でき、プロダクションプリント用途向けであることから、外部コントローラ３０との接続がページモードであれば、第２の表示形態（プロダクションプリント用途の表示形態）で画面を表示すべきと判断し（Ｓ１１４）、表示制御部４１ｃは、表示操作部４７に第２の表示形態の画面を表示させる（Ｓ１１５）。外部コントローラ３０との接続がジョブモードであった場合、あるいは外部コントローラ３０との接続に関する情報がなかった場合は、次ステップ（Ｓ１０９）を実行する。
【００５８】
次に、画面判断部４１ｂは、ジョブ情報に基づいて印刷ページ数が所定ページ数以上であるかを判断する（Ｓ１０９）。印刷ページ数が所定ページ数以上であれば（Ｓ１０９のＹｅｓ）、第２の表示形態（プロダクションプリント用途の表示形態）で画面を表示すべきと判断し（Ｓ１１４）、表示制御部４１ｃは、表示操作部４７に第２の表示形態の画面を表示させる（Ｓ１１５）。印刷ページ数が所定ページ数に満たなかった場合は（Ｓ１０９のＮｏ）、次ステップ（Ｓ１１０）を実行する。なお、所定ページ数は、予め設定されていてもよいし、ユーザが設定してもよく、その設定方法は問わないが、通常プロダクションプリントでは印刷ページ数が１０００ページ以上となる場合が多いことから、所定ページ数は１０００ページとすることができる。
【００５９】
次に、画面判断部４１ｂは、ジョブ情報に基づいて印刷部数が所定部数数以上であるかを判断する（Ｓ１１０）。印刷部数が所定部数数以上であれば（Ｓ１１０のＹｅｓ）、第２の表示形態（プロダクションプリント用途の表示形態）で画面を表示すべきと判断し（Ｓ１１４）、表示制御部４１ｃは、表示操作部４７に第２の表示形態の画面を表示させる（Ｓ１１５）。印刷部数が所定部数数に満たなかった場合は（Ｓ１１０のＮｏ）、次ステップ（Ｓ１１１）を実行する。なお、所定部数は、予め設定されていてもよいし、ユーザが設定してもよく、その設定方法は問わないが、通常プロダクションプリントでは印刷部数が１００部以上となる場合が多いことから、所定部数は１００部とすることができる。
【００６０】
次に、画面判断部４１ｂは、ジョブ情報に基づいてメディア（用紙）の種別が通常プロダクションプリントで使用される高級紙であるかを判断する（Ｓ１１１）。メディアの種別が高級紙であれば（Ｓ１１１のＹｅｓ）、第２の表示形態（プロダクションプリント用途の表示形態）で画面を表示すべきと判断し（Ｓ１１４）、表示制御部４１ｃは、表示操作部４７に第２の表示形態の画面を表示させる（Ｓ１１５）。メディアの種別が高級紙でなかった場合、あるいは、プロダクションプリント用途の表示形態で画面を表示すべきと判断されなかった場合（Ｓ１１１のＮｏ）、画面判断部４１ｂは、第１の表示形態（オフィスプリント用途の表示形態）で画面を表示すべきと判断し（Ｓ１１２）、表示制御部４１ｃは、表示操作部４７に第１の表示形態の画面を表示させる（Ｓ１１３）。
【００６１】
なお、上記フローでは、表示形態の判断に際して、プリンタドライバ２１ｃの種別、プリンタドライバ２１ｃの用途指定、プロダクションプリント機向けの後処理装置の使用設定、外部コントローラ３０との接続モード、印刷ページ数、印刷部数、メディアの種別について判断したが、判断する項目の内容や数、判断の順序は適宜変更可能であり、図５のフローに限定されない。
【００６２】
以下、図６乃至図１２の画面例を参照して、第１の表示形態（オフィスプリント用途の表示形態）と第２の表示形態（プロダクションプリント用途の表示形態）について具体的に説明する。
【００６３】
図６は、オフィスプリント用途の表示形態のトップメニュー画面６０の一例である。オフィスプリント用途のトップメニュー画面６０では、例えば、操作に不慣れなユーザでも分かりやすいように、少数のタブ（ここでは「ユニバーサル設定」、「カウンター」、「機能検索」、「ジョブ表示」の４つのタブ）が表示される。また、操作に不慣れなユーザが機能を選択しやすいように、各機能のイラストと名称を記載したボタンが画面に大きく表示される。
【００６４】
そして、トップメニュー画面６０で「ジョブ表示」のタブを選択すると、図７に示す実行中ジョブ表示画面６１が表示される。この実行中ジョブ表示画面６１では、例えば、操作に不慣れなユーザでも分かりやすいように、少数のタブ（ここでは「実行中」、「履歴」、「通信リスト」の３つのタブ）が表示される。また、操作に不慣れなユーザがジョブの内容を確認しやすいように、文書名／宛先の項目が表示され、また、オフィスプリント用途では印刷部数はそれほど多くないため、部数の項目は表示されない。
【００６５】
また、実行中ジョブ表示画面６１で「履歴」のタブを選択すると、図８に示す履歴表示画面６２が表示される。この履歴表示画面６２でも、例えば、操作に不慣れなユーザがジョブの内容を確認しやすいように、文書名／宛先の項目が表示され、オフィスプリント用途では印刷部数はそれほど多くないため、部数の項目は表示されない。また、操作に不慣れなユーザは、多数のジョブが表示されると所望のジョブを見つけにくくなることから、絞り込み条件（ここでは「全ジョブ」、「終了ジョブ」、「消去ジョブ」の３つの条件）が選択可能に表示される。
【００６６】
一方、図９は、プロダクションプリント用途の表示形態のトップメニュー画面７０の一例である。プロダクションプリント用途のトップメニュー画面７０では、例えば、操作に慣れたユーザが１つの画面で様々な操作ができるように、様々な操作に対応するタブ（ここでは「機械状態」、「ジョブリスト」、「読出し」、「保存」、「コピー」、「スキャン」の６つのタブ）が表示される。また、トップメニュー画面７０でユーザが装置の状態を把握できるように、出力状態や原稿カウンター、メモリ残量、予約ジョブ数、出力予約ジョブ情報、用紙トレイ情報なども表示される。このトップメニュー画面７０と図６のオフィスプリント用途のトップメニュー画面６０とを比較すると、プロダクションプリント用途では、操作に慣れたユーザが１つの画面で各種操作ができるように、多数の情報が集約されて表示されており、オフィスプリント用途のトップメニュー画面６０とはレイアウトや表現方法、表示内容が大きく異なり、ユーザが受ける印象も大きく異なる。
【００６７】
そして、トップメニュー画面７０で「ジョブリスト」のタブを選択すると、図１０に示すジョブリスト画面７１が表示される。このジョブリスト画面７１では、例えば、操作に慣れたユーザがジョブの詳細を確認しやすいように、各種タブ（ここでは「一時保存ジョブ」、「機密ジョブ」、「スケジュール」、「出力予約ジョブ」、「展開状況」、「出力履歴」、「通信履歴」、「未出力履歴」の８つのタブ）が表示される。また、プロダクションプリント用途では、多数のジョブが混在し、文書名や宛先ではジョブが識別しにくくなることから、ファイル名の項目が表示される。また、プロダクションプリント用途では多数のユーザのジョブが混在することから、ユーザ名の項目が表示され、また、プロダクションプリント用途では印刷部数が多くなるため、部数の項目が表示される。
【００６８】
また、ジョブリスト画面７１で「出力予約ジョブ」のタブを選択すると、図１１に示す出力予約ジョブ表示画面７２（オフィスプリント用途の実行中ジョブ表示画面６１と同等の画面）が表示される。この出力予約ジョブ表示画面７２でも、例えば、プロダクションプリント用途では多数のジョブが混在し、文書名や宛先ではジョブが識別しにくくなることから、ファイル名の項目が表示される。また、プロダクションプリント用途では多数のユーザのジョブが混在することから、ユーザ名の項目が表示される。また、プロダクションプリント用途では印刷部数が多くなるため、部数及び残部数の項目が表示される。
【００６９】
また、出力予約ジョブ表示画面７２で「出力履歴」のタブを選択すると、図１２に示す履歴表示画面７３が表示される。この履歴表示画面７３でも、例えば、プロダクションプリント用途では多数のジョブが混在し、文書名や宛先ではジョブが識別しにくくなることから、ファイル名の項目が表示される。また、プロダクションプリント用途では多数のユーザのジョブが混在することから、ユーザ名の項目が表示される。また、プロダクションプリント用途では印刷部数が多くなるため、部数の項目が表示される。このように、プロダクションプリント用途では、操作に慣れたユーザがジョブの詳細を把握できるように、多数の情報が集約されて表示されており、オフィスプリント用途の実行中ジョブ表示画面６１や履歴表示画面６２とはレイアウトや表現方法、表示内容が大きく異なり、ユーザが受ける印象も大きく異なる。例えば、プロダクションプリント用途の画面では、多数のタブの中から選択する必要がある（その分、熟達したオペレータはアクセスしやすい）ため、オフィスプリントを行うユーザには分かりにくい。また、プロダクションプリント用途の画面では、印刷に係わる様々な機能にアクセスできるが、これもオフィスプリントを行うユーザにとっては分かりにくい。その結果、操作の間違いや戸惑いが発生しやすくなる。
【００７０】
この問題に対して、本実施例では、受信したジョブに含まれる情報に基づいて、第１の表示形態（オフィスプリント用途の表示形態）あるいは第２の表示形態（プロダクションプリント用途の表示形態）のどちらで画面を表示すべきかを判断し、その判断結果に従って受信したジョブに関する画面を表示するため、オフィスプリント機、プロダクションプリント機のそれぞれを使用するユーザに適する画面を表示することができる。これにより、ユーザが表示形態を切り替える操作を行う必要がなくなり、また、ユーザが慣れていない画面上で操作を行うことによる間違いや戸惑いの発生を防止することができ、適切な操作を迅速に行うことができる。
【００７１】
なお、本発明は上記実施例に限定されるものではなく、本発明の趣旨を逸脱しない限りにおいて、その構成や制御は適宜変更可能である。
【００７２】
例えば、上記実施例では、オフィスプリント用途の表示形態とプロダクションプリント用途の表示形態との切り替え制御について説明したが、同一の機能に対して用途に応じて表示形態が異なる画面を表示する装置に対して、本発明の表示制御方法を同様に適用することができる。
【産業上の利用可能性】
【００７３】
本発明は、オフィスプリント機とプロダクションプリント機の双方の機能を備える画像形成装置、当該画像形成装置に表示する画面を制御する表示制御プログラム、当該表示制御プログラムを記録した記録媒体及び表示制御方法に利用可能である。
【符号の説明】
【００７４】
１０  印刷システム
２０  クライアント端末
２１  制御部
２１ａ  ＯＳ
２１ｂ  アプリケーション
２１ｃ  プリンタドライバ
２２  ＣＰＵ
２３  ＲＯＭ
２４  ＲＡＭ
２５  記憶部
２６  ネットワークＩ／Ｆ部
２７  表示部
２８  操作部
３０  外部コントローラ
４０  画像形成装置
４１  制御部
４１ａ  ジョブ受付部
４１ｂ  画面判断部
４１ｃ  表示制御部
４１ｄ  ユーザ情報取得部
４２  ＣＰＵ
４３  ＲＯＭ
４４  ＲＡＭ
４５  記憶部
４６  ネットワークＩ／Ｆ部
４７  表示操作部
４８  画像処理部
４９  画像形成部
５０  通信ネットワーク
６０  トップメニュー画面（オフィスプリント用途）
６１  実行中ジョブ表示画面（オフィスプリント用途）
６２  履歴表示画面（オフィスプリント用途）
７０  トップメニュー画面（プロダクションプリント用途）
７１  ジョブリスト画面（プロダクションプリント用途）
７２  出力予約ジョブ表示画面（プロダクションプリント用途）
７３  履歴表示画面（プロダクションプリント用途）
８０  ジャム画面（オフィスプリント機）
８１  ジャム画面（プロダクションプリント機）
【図１】
2019181794.tif 000004
【図２】
2019181794.tif 000005
【図３】
2019181794.tif 000006
【図４】
2019181794.tif 000007
【図５】
2019181794.tif 000008
【図６】
2019181794.tif 000009
【図７】
2019181794.tif 000010
【図８】
2019181794.tif 000011
【図９】
2019181794.tif 000012
【図１０】
2019181794.tif 000013
【図１１】
2019181794.tif 000014
【図１２】
2019181794.tif 000015
【図１３】
2019181794.tif 000016
【図１４】
2019181794.tif 000017